(57)【要約】【課題】  施工が容易で、施工者に負担のかからない便器固定構造を提供すること。【解決手段】  Ｔボルトの頭部が下側に入り込むことによりＴボルトを係止するリブ３が床フランジ１に配設され、Ｔボルトの頭部より大きめの大きさを有するＴボルトの挿入穴６とこの挿入穴に連続する長穴７が便器底部５に穿設されており、床フランジの上方から便器が配置され、頭部を下に向けて便器底部の挿入穴に差し込まれたＴボルトの長穴に沿ったスライドによりＴボルトの頭部が床フランジのリブの下側に入り込み、Ｔボルトがリブに係止され、長穴から上方に突き出るＴボルトのネジ部にナットが螺合されて便器が床フランジに固定される。【選択図】図１
2006225964.tif 000002
【特許請求の範囲】
【請求項１】
Ｔボルトの頭部が下側に入り込むことによりＴボルトを係止するリブが床フランジに配設され、Ｔボルトの頭部より大きめの大きさを有するＴボルトの挿入穴とこの挿入穴に連続する長穴が便器底部に穿設されており、床フランジの上方から便器が配置され、頭部を下に向けて便器底部の挿入穴に差し込まれたＴボルトの長穴に沿ったスライドによりＴボルトの頭部が床フランジのリブの下側に入り込み、Ｔボルトがリブに係止され、長穴から上方に突き出るＴボルトのネジ部にナットが螺合されて便器が床フランジに固定されることを特徴とする便器固定構造。
【請求項２】
挿入穴が便器底部の側面部に穿設され、長穴が便器底部の側面部から上面部にかけて穿設されている請求項１記載の便器固定構造。
【請求項３】
床フランジにＴボルトの保持台が設けられている請求項１または２記載の便器固定構造。
【発明の詳細な説明】
【技術分野】
【０００１】
本願発明は、便器固定構造に関するものである。
【背景技術】
【０００２】
便器は、排水の受け口となる床フランジを介して床に固定される。本出願人は、次のような便器固定構造を提案している（特許文献１参照）。
【０００３】
図５の要部断面図に示したように、床５０に固定された床フランジ５１にフランジ孔５２が穿設され、このフランジ孔５２に断面Ｔ字型の形状を有するＴボルト５３の頭部５３ａが嵌入されてＴボルト５３のネジ部５３ｂが床５０に立設される。便器の底部５４にはボルト孔が穿設され、このボルト孔にブッシュ５５が取り付けられる。ブッシュ５５は、内部に係止片５６を有しており、ブッシュ５５の内部にＴボルト５３のネジ部５３ｂを通して便器を床５０の上に配置すると、ブッシュ５５の係止片５６がＴボルト５３のネジ部５３ｂに係合する。この係合により便器は床フランジ５１を介して床５０に固定される。便器の底部５４より上方に突き抜けるＴボルト５３のネジ部５３ｂには化粧キャップ５７がねじ込み式で装着される。
【特許文献１】特開２００４−２７８２５２号公報
【発明の開示】
【発明が解決しようとする課題】
【０００４】
図５に示した先に提案した便器固定構造は、便器の固定にナットを不要とし、ナットの締め付けに起因して生じやすい便器および床フランジ５１の割れという問題を解消することができるという利点を有する反面、施工上の問題が指摘される。
【０００５】
通常、Ｔボルト５３は床フランジ５１の２箇所に設けられ、便器の底部には２本のＴボルト５３に対応してボルト孔が２箇所形成されている。このため、各々のボルト孔に装着したブッシュ５５にＴボルト５３のネジ部５３ｂを通す作業は実際には容易ではない。トイレルームは一般に狭い空間であり、便器によってＴボルト５３のネジ部５３ｂが見えなくなってしまうからである。無造作に作業を行うと便器または床フランジ５１に破損を生じさせる可能性がある。しかも、図５に示した便器固定構造の場合、Ｔボルト５３のネジ部５３ｂは立設されているため、ネジ部５３ｂを便器の底部５４のボルト孔に装着されたブッシュ５５に通す際には、便器を上方に突出するネジ部５３ｂの高さ以上に持ち上げる必要があり、施工者の負担が大きくなっている。
【０００６】
本願発明は、このような事情に鑑みてなされたものであり、施工が容易で、施工者に負担のかからない便器固定構造を提供することを課題としている。
【課題を解決するための手段】
【０００７】
本願発明は、上記の課題を解決するために、第１には、Ｔボルトの頭部が下側に入り込むことによりＴボルトを係止するリブが床フランジに配設され、Ｔボルトの頭部より大きめの大きさを有するＴボルトの挿入穴とこの挿入穴に連続する長穴が便器底部に穿設されており、床フランジの上方から便器が配置され、頭部を下に向けて便器底部の挿入穴に差し込まれたＴボルトの長穴に沿ったスライドによりＴボルトの頭部が床フランジのリブの下側に入り込み、Ｔボルトがリブに係止され、長穴から上方に突き出るＴボルトのネジ部にナットが螺合されて便器が床フランジに固定されることを特徴としている。
【０００８】
本願発明は、第２には、挿入穴が便器底部の側面部に穿設され、長穴が便器底部の側面部から上面部にかけて穿設されていることを特徴としている。
【０００９】
本願発明は、第３には、床フランジにＴボルトの保持台が設けられていることを特徴としている。
【発明の効果】
【００１０】
本願の第１の発明によれば、便器を配置した後にＴボルトを差し込み、リブに係止させることができ、便器の施工が容易となり、また、便器を持ち上げる高さを低くすることができ、施工者の負担が軽減される。
【００１１】
本願の第２の発明によれば、Ｔボルトを横から直線上にスライドさせることによりＴボルトの係止が可能となり、便器の固定作業がより容易となる。
【００１２】
本願の第３の発明によれば、Ｔボルトの落下が防止され、施工性が向上する。
【発明を実施するための最良の形態】
【００１３】
図１は、本願発明の便器固定構造の一実施形態を示した要部分解斜視図である。
【００１４】
排水の受け口として設けられる床フランジ１には、中央開口部２を挟んで対称位置に平面視Ｕ字形状のリブ３が設けられている。リブ３は、その下側に断面Ｔ字型の形状を有するＴボルトの頭部が入り込めるようになっているとともに、Ｔボルトの頭部が上側に抜け外れないようになっている。このリブ３はＴボルトの保持台４の上側に配設されている。保持台４は床フランジ１の端部まで延設されている。
【００１５】
一方、便器の底部５には、上面部に、挿入穴６と挿入穴６に連続する長穴７が穿設されている。挿入穴６と長穴７は、便器の底部５において対称位置に配置されている。挿入穴６はＴボルトの略正方形の頭部よりも大きめの大きさを有し、Ｔボルトの頭部の挿入を可能にしている。一方、長穴７はＴボルトが上側に抜け外れることのないように、Ｔボルトの頭部より小さめの幅を有している。このような挿入穴６と挿入穴６に連続する長穴７は、平面視でＴ字状の形状の穴を形成している。
【００１６】
Ｔボルトは、便器が床フランジ１の上方から配置された状態で取り付けられる。すなわち、図２に示したように、Ｔボルト８は、頭部８ａを下にし、ネジ部８ｂを上に向け、便器側から底部５の挿入穴６の中に差し込まれる。Ｔボルト８の差込みは、頭部８ａが図１に示した保持台４の上面に接触するまで行う。Ｔボルト８の頭部８ａが保持台４の上面に接触しないときは、便器の位置をずらし、Ｔボルト８の頭部８ａが確実に保持台４の上面に接触するようにする。このようにして便器の底部５の挿入穴６に上から差し込まれたＴボルト８は、挿入穴６に連続して穿設された長穴７に沿ってスライドされる。このスライドによってＴボルト８は便器の内側に向かって横方向に移動し、頭部８ａが図１に示した床フランジ１のリブ３の下側に入り込み、Ｔボルト８はリブ３によって係止される。リブ３は保持台４の上側に配設されているため、Ｔボルト８は下に落ち込むことはなく、また、リブ３による係止によって上側に抜け外れることもない。この状態においてＴボルト８のネジ部８ｂは便器の底部５の長穴７から上方に突き出る。突き出たＴボルト８のネジ部８ｂには、図３に示したようにナット９が螺合される。ナット９の螺合により便器は床フランジ１に固定される。
【００１７】
このように、図１に示した便器固定構造では、床フランジ１に設けたリブ３によってＴボルト８を係止することができるため、Ｔボルト８を便器を配置した後に取り付けることができる。したがって、床フランジ１にあらかじめＴボルト８を設けておく図５に示した便器固定構造におけるＴボルト５３のネジ部５３ｂをブッシュ５５に通す作業が容易でないという問題が解消される。また、図１に示した便器取付構造では、Ｔボルト８は便器を配置した後に取り付けられるため、便器を配置する際にＴボルト８のネジ部８ｂが突出せず、このため、便器を持ち上げる高さを図５に示した便器取付構造の場合より低くすることができ、施工者の負担が軽減される。その上、床フランジ１には保持台４が設けられているため、Ｔボルト８を便器の底部５の挿入穴６に差し込み、長穴７に沿ってスライドさせてリブ３に係止させるときに、Ｔボルト８は頭部８ａが保持台４の上面で支持され、落下してしまうことはない。
【００１８】
次に施工手順について説明する。
【００１９】
図１に示したような床フランジ１をトイレルームの床の所定位置にネジ等の固定具を用いて固定する。次いで、便器を、固定された床フランジ１の上方から配置する。
【００２０】
この後、図２に示したように、Ｔボルト８を頭部８ａが下を向きネジ部８ｂが上を向くようにして便器の底部５の挿入穴６に差し込む。挿入穴６はＴボルト８の頭部８ａより大きめの大きさを有しているため、Ｔボルト８の挿入穴６への差込みは容易に行える。頭部８ａが床フランジ１の保持台４に当たらないときは便器の位置をずらし、頭部８ａが保持台４の上面に載るようにする。頭部８ａが保持台４の上面に載ったときには、Ｔボルト８から手を離してもＴボルト８は落下せず、その位置を安定に保つ。
【００２１】
次いでＴボルト８を長穴７に沿って便器の内側に向けて横方向にスライドさせる。長穴７はＴボルト８の頭部８ａの大きさより小さめの幅を有しているため、Ｔボルト８が長穴７から上に向かって抜け外れることはない。Ｔボルト８の長穴７に沿った横方向のスライドはスムーズに行える。Ｔボルト８の頭部８ａは保持台４の上面に載って移動し、リブ３の下側に入り込む。そしてＴボルト８は、リブ３によって係止され、ネジ部８ｂが長穴７から上に突き出る。
【００２２】
この後、図３に示したように、突き出たＴボルト８のネジ部８ｂにナット９を螺合する。便器は床フランジ１に固定される。仕上がりを見栄えよくするために、たとえば、化粧キャップをＴボルト８のネジ部８ｂの上端から被せ、ナット９を覆い隠すことができる。
【００２３】
図４は、本願発明の便器固定構造の別の実施形態を示した要部斜視図である。
【００２４】
図４に示した便器固定構造では、図示されていないが、床フランジは、図１に示した床フランジ１と同様な構成を有するものが採用されている。一方、図４に示した便器固定構造では、挿入穴６が便器の底部５の側面部に穿設され、挿入穴６に連続する長穴７が、便器の底部５の側面部から上面部にかけて穿設されている。したがって、図４に示した便器固定構造では、Ｔボルト８を横から直線上にスライドさせることによりＴボルト８の係止が可能となっている。図１に示した便器固定構造では、図２に示したように、Ｔボルト８を挿入穴６に上から下に差し込んだ後に長穴７に沿って横方向にスライドさせるのに対し、図４に示した便器固定構造では、Ｔボルト８の差込みも横方向であり、Ｔボルト８の差込みおよびスライドを連続した作業で行うことができるようになっている。このため、便器の固定作業がより容易となっている。このような図４に示した便器固定構造の施工手順は、Ｔボルト８の差込み方向が異なるだけで、その他については図１に示した便器固定構造と同様の手順となる。
【図面の簡単な説明】
【００２５】
【図１】本願発明の便器固定構造の一実施形態を示した要部分解斜視図である。
【図２】図１に示した便器固定構造におけるＴボルトの取付けについて示した要部斜視図である。
【図３】図１に示した便器固定構造におけるナットの螺合について示した要部斜視図である。
【図４】本願発明の便器固定構造の別の実施形態を示した要部斜視図である。
【図５】先に提案した便器固定構造を示した要部断面図である。
【符号の説明】
【００２６】
１    床フランジ
２    中央開口部
３    リブ
４    保持台
５    底部
６    挿入穴
７    長穴
８    Ｔボルト
８ａ    頭部
８ｂ    ネジ部
９    ナット
【図１】
2006225964.tif 000003
【図２】
2006225964.tif 000004
【図３】
2006225964.tif 000005
【図４】
2006225964.tif 000006
【図５】
2006225964.tif 000007